(57)【要約】【課題】電磁ノイズによる影響を回避して、より正確なカロリー量を知得することができる炊飯器を提供する。【解決手段】炊飯釜内の被調理物の重量を計量する計量手段（歪みゲージ２２３Ｂ）と、被調理物を加熱する加熱手段（ＩＨコイル２１１）と、加熱手段への通電を制御する制御手段５０１とを備え、制御手段は、計量手段による被調理物の計量を行う際には、加熱手段への通電を中断する。【選択図】図９
2019034109.tif 000002
【特許請求の範囲】
【請求項１】
炊飯釜内の被調理物の重量を計量する計量手段と、
前記被調理物を加熱する加熱手段と、
前記加熱手段への通電を制御する制御手段と
を備え、
前記制御手段は、
前記計量手段による前記被調理物の計量を行う際には、前記加熱手段への通電を中断する炊飯器。
【請求項２】
少なくとも前記被調理物の重量が表示可能な表示手段を備え、
前記制御手段は、
前記計量手段で計量した前記被調理物の重量の変化量に、該被調理物に応じたカロリー係数を乗じてカロリー量を算出する算出部と、
該算出部で算出されたカロリー量を前記表示手段に表示するための表示制御部と
を備える請求項１に記載の炊飯器。
【請求項３】
前記被調理物としての米を炊き上げる炊飯モードを有し、
炊き上げ条件の異なる複数の炊飯メニューを選択する炊飯メニュー選択手段を備え、
前記カロリー係数は、前記炊飯メニューに対応付けされている請求項１または請求項２に記載の炊飯器。
【請求項４】
前記表示制御部は、
前記表示手段における前記カロリー量の表示に代えて、前記被調理物の重量の変化量を表示可能とする請求項２または請求項３に記載の炊飯器。
【請求項５】
前記表示手段における表示内容を切り替える表示切替手段を有する請求項４記載の炊飯器。
【請求項６】
前記表示制御部は、
前記表示手段に、前記カロリー量の表示と併せて、前記被調理物の重量の変化量を表示させるよう構成されている請求項２または請求項３に記載の炊飯器。
【請求項７】
前記制御手段は、所定の操作に応じて該制御手段による加熱手段への通電の中断と、前記算出部によるカロリー量の算出と前記表示制御部による前記表示手段へのカロリー量の表示とを行なうカロリー計算モードを実行させるよう構成されている請求項２から請求項６の何れか１項に記載の炊飯器。
【請求項８】
前記制御手段は、
前記カロリー計算モード実行中に当該カロリー計算モードが解除される操作が行なわれた場合、前記加熱手段への通電を再開するように制御する請求項７に記載の炊飯器。
【請求項９】
前記制御手段は、
前記カロリー計算モード実行開始から所定時間経過した場合には、前記加熱手段への通電を再開するように制御する請求項７または請求項８に記載の炊飯器。
【請求項１０】
前記炊飯釜に対して開閉される外蓋の開閉状態を検知する開閉検知手段をさらに備え、
前記制御手段は、
前記開閉検知手段により前記外蓋が閉の状態を検知している場合に、前記所定の操作が行なわれても、前記カロリー計算モードを実行しないように制御する請求項７から請求項９の何れか１項に記載の炊飯器。
【請求項１１】
前記制御手段は、
前記所定の操作が行なわれた後、第１の所定時間内に前記開閉検知手段により外蓋の開状態が検知された場合には、前記カロリー計算モードを実行するように制御する請求項７から請求項１０の何れか１項に記載の炊飯器。
【請求項１２】
前記制御手段は、
前記所定の操作が行なわれた際に前記カロリー計算モードを実行し、第２の所定時間内に前記開閉検知手段が前記外蓋の開状態を検知しなかった場合には、前記カロリー計算モードを終了するように制御する請求項７から請求項１１の何れか１項に記載の炊飯器。
【請求項１３】
前記制御手段は、
前記カロリー計算モード実行中に、前記開閉検知手段により外蓋の閉状態が検知された場合には、当該カロリー計算モードを解除し、前記加熱手段への通電を再開するように制御する請求項７から請求項１２の何れか１項に記載の炊飯器。
【請求項１４】
前記制御手段は、
前記所定の操作により前記カロリー計算モードを実行した後、第３の所定時間経過後に前記計量手段による前記被調理物の計量を実行するように制御する請求項７から請求項１３の何れか１項に記載の炊飯器。
【請求項１５】
前記制御手段は、
前記所定の操作に応じて前記加熱手段への通電を中断した後、第３の所定時間内に前記開閉検知手段が前記外蓋の開状態を検知した場合に、前記計量手段からの所定回数の計量値の差が所定値以内となり、計量値が安定したと判定した際に前記計量手段による前記被調理物の計量を実行するように制御する請求項７から請求項１３の何れか１項に記載の炊飯器。
【請求項１６】
前記計量手段は、被調理物としての粉状体の計量結果に応じた必要水量を算出し、
前記表示制御手段は、前記表示手段に前記必要水量を表示するように制御する請求項２に記載の炊飯器。
【請求項１７】
前記計量手段は、前記炊飯釜へ投入された水を計量し、
前記算出部は、前記必要水量と、投入された前記投入された水の水量との差分を算出し、
前記表示制御手段は、前記表示手段に前記水量の差分を表示するように制御する請求項１６に記載の炊飯器。
【請求項１８】
前記算出部は、前記計量手段で計量した前記被調理物としての粉状体の重量に、該粉状体に応じたカロリー係数を乗じて見込みカロリー量を算出し、
前記表示制御手段は、前記表示手段に前記見込みカロリー量を表示するように制御する請求項１６または請求項１７に記載の炊飯器。
【請求項１９】
蒸しモード、煮込みモードおよび発酵モードの少なくとも１つを有する調理モードをさらに有し、
前記計量手段は、前記調理モードの選択状態において、前記炊飯釜内の被調理物の重量を計量し、
前記算出部は、前記計量手段で計量した前記被調理物の重量に、該被調理物に応じたカロリー係数を乗じて見込みカロリー量を算出し、
前記表示制御手段は、前記表示手段に前記見込みカロリー量を表示するように制御する請求項２に記載の炊飯器。
【発明の詳細な説明】
【技術分野】
【０００１】
本実施の形態は、炊飯器に関する。
【背景技術】
【０００２】
従来から、消費したご飯のカロリー量をユーザが知得することができるようにした炊飯器が提案されている（特許文献１等）。
【０００３】
従来技術では、米が炊き上がった状態で内釜内のご飯の総重量を検知し、内釜からご飯が取られるとその変化量を算出し、単位重量当たりのカロリー係数を乗じてご飯のカロリー量を演算する。そして、その演算結果を炊飯器の表示部に表示することで、ユーザが摂取するカロリー量を知得できるようにしている。
【先行技術文献】
【特許文献】
【０００４】
【特許文献１】特開２００６−８１６４１号公報
【発明の概要】
【発明が解決しようとする課題】
【０００５】
特許文献１では、ご飯の重量を検知する重量検知手段は、歪みゲージを内蔵するロードセル、センサ台および検知体とから構成されている。
【０００６】
そして、ロードセルが荷重によりたわむ時の歪みゲージの抵抗変化を、ブリッジ回路で電気信号として取り出して、ご飯の重量を検知している。
【０００７】
ところで、一般的に歪みゲージは電磁ノイズの影響を受け易く、電磁ノイズにより出力値にバラツキを生じることが知られている。
【０００８】
ここで、炊飯器は、保温状態（保温モード）において加熱コイルに通電されるため、ロードセルに内蔵される歪みゲージは、この加熱コイルから生じる電磁ノイズの影響を受け、ご飯の重量を正確に計測できない虞があった。
【０００９】
そのため、ユーザは、ご飯のカロリー量を正確に知得できないという問題があった。
【００１０】
特に、疾病等による食事制限などで、摂取するカロリー量を正確に知りたいような場合に、電磁ノイズによるご飯のカロリー量の誤差も健康管理上、問題となり得る。
【００１１】
本実施の形態は、電磁ノイズによる影響を回避して、より正確なカロリー量を知得することができる炊飯器を提供する。
【課題を解決するための手段】
【００１２】
本実施の形態の一態様によれば、炊飯釜内の被調理物の重量を計量する計量手段と、前記被調理物を加熱する加熱手段と、前記加熱手段への通電を制御する制御手段とを備え、前記制御手段は、前記計量手段による前記被調理物の計量を行う際には、前記加熱手段への通電を中断する炊飯器が提供される。
【発明の効果】
【００１３】
本実施の形態によれば、電磁ノイズによる影響を回避して、より正確なカロリー量を知得することができる炊飯器を提供することができる。
【図面の簡単な説明】
【００１４】
【図１】第１の実施の形態に係るＩＨ炊飯器の斜視図。
【図２】図１に示されるＩＨ炊飯器が備える炊飯器部の斜視図。
【図３】図２に示される炊飯器要部の断面図。
【図４】図１に示されるＩＨ炊飯器が備えるＩＨ調理器の斜視図。
【図５】図４に示されるＩＨ調理器のトッププレートを取り外した状態の斜視図。
【図６】図４に示されるＩＨ調理器の断面図。
【図７】ＩＨ炊飯器の底面の斜視図。
【図８】図７に示される重量センサ部分を拡大した拡大図。
【図９】第１の実施の形態に係るＩＨ炊飯器の機能ブロック図。
【図１０】第１の実施の形態に係るＩＨ炊飯器の概略回路構成図。
【図１１】第１の実施の形態に係るＩＨ炊飯器が備える操作部の説明図であり、（ａ）炊飯器操作部、（ｂ）計量表示部およびカロリー表示部。
【図１２】図１１（ｂ）に示される計量表示部の画面遷移図。
【図１３】図１１（ｂ）に示されるカロリー表示部の画面遷移図。
【図１４Ａ】第１の実施の形態に係るＩＨ炊飯器の計量炊飯動作を示すフローチャート。
【図１４Ｂ】第１の実施の形態に係るＩＨ炊飯器の計量炊飯動作を示すフローチャート。
【図１４Ｃ】第１の実施の形態に係るＩＨ炊飯器の計量炊飯動作を示すフローチャート。
【図１４Ｄ】第１の実施の形態に係るＩＨ炊飯器の計量炊飯動作を示すフローチャート。
【図１４Ｅ】第１の実施の形態に係るＩＨ炊飯器の計量炊飯動作を示すフローチャート。
【図１４Ｆ】第１の実施の形態に係るＩＨ炊飯器の計量炊飯動作を示すフローチャート。
【図１４Ｇ】第１の実施の形態に係るＩＨ炊飯器の計量炊飯動作を示すフローチャート。
【図１５】第１の実施の形態に係るＩＨ炊飯器の重量センサゼロ点調整動作を示すフローチャート。
【図１６】第１の実施の形態に係るＩＨ炊飯器の重量センサ制御動作を示すフローチャート。
【図１７】第１の実施の形態に係るＩＨ炊飯器が備えるＩＨ調理器の動作を示すフローチャート。
【図１８】保温モード中のカロリーボタン操作検知処理の動作を示すフローチャート。
【図１９】カロリー計算、表示処理の動作を示すフローチャート。
【図２０】ＩＨ停止処理の動作を示すフローチャート。
【図２１】重量変化量算出処理の動作を示すフローチャート。
【図２２】炊飯メニューとカロリー係数の関係を示す図表。
【図２３】第１の実施の形態に係るＩＨ炊飯器の側面図。
【図２４】図２３に示されるＩＨ炊飯器の底面図。
【図２５】第１の実施の形態に係るＩＨ炊飯器が備える重量センサの回路構成図。
【図２６】図２５に示される単一ロードセルの回路構成図。
【図２７】第２の実施の形態に係るＩＨ炊飯器の機能ブロック図。
【図２８】第２の実施の形態に係るＩＨ炊飯器の概略回路構成図。
【図２９】第２の実施の形態に係るＩＨ炊飯器が備える操作部の説明図であり、（ａ）炊飯器操作部、（ｂ）計量表示部およびカロリー表示部。
【図３０】第２の実施の形態に係るＩＨ炊飯器で実行される水量表示処理（その１）の処理手順を示すフローチャート。
【図３１】計量表示部の画面遷移図。
【図３２】第２の実施の形態に係るＩＨ炊飯器で実行される水量表示処理（その２）の処理手順を示すフローチャート。
【図３３】第２の実施の形態に係るＩＨ炊飯器で実行される見込みカロリー計算・表示処理（その１）の処理手順を示すフローチャート。
【図３４】計量表示部の表示例を示す説明図。
【図３５】第２の実施の形態に係るＩＨ炊飯器で実行される見込みカロリー計算・表示処理（その２）の処理手順を示すフローチャート。
【図３６】他の実施の形態に係るＩＨ炊飯器で実行される未装着品検知処理の処理手順を示すフローチャート。
【図３７】他の実施の形態に係るＩＨ炊飯器で実行される計量モード自動開始処理の処理手順を示すフローチャート。
【発明を実施するための形態】
【００１５】
次に、図面を参照して、実施の形態を説明する。以下の図面の記載において、同一又は類似の部分には同一又は類似の符号を付している。
【００１６】
また、以下に示す実施の形態は、技術的思想を具体化するための装置や方法を例示するものであって、構成部品の材質、形状、構造、配置等を下記のものに特定するものでない。この実施の形態は、特許請求の範囲において、種々の変更を加えることができる。
【００１７】
（第１の実施の形態）
［ＩＨ炊飯器の全体構成例］
図１は、第１の実施の形態に係るＩＨ炊飯器（電磁炊飯器）１の斜視図である。このＩＨ炊飯器１は、ＩＨによる炊飯技術を使用し、無線通信・電力供給により本体とＩＨ部の分離を可能とするＩＨジャー炊飯器である。
【００１８】
具体的には、図１に示すように、ＩＨ炊飯器１は、炊飯器部１００とＩＨ調理器（電磁調理器）２００とに上下分離可能となっている。外観はジャー炊飯器であるが、炊飯器部１００を取り外すと、ＩＨ調理器２００の操作部が現れる。ＩＨ調理器２００側は単独でＩＨ調理に使用することができ、炊飯器部１００側は御櫃として食卓に簡単に運ぶことができる。
【００１９】
また、実施の形態に係るＩＨ炊飯器１は、自動計量機能およびカロリー量の表示機能を備える。なお、自動計量機能およびカロリー量の表示機能の詳細については後述する。
【００２０】
［炊飯器部の構成例］
以下、炊飯器部１００の構成について説明する。
【００２１】
図２は、図１に示されるＩＨ炊飯器１が備える炊飯器部１００の斜視図である。図２に示すように、炊飯器部１００は、蓋部（外蓋）１００Ａと、炊飯器本体１００Ｂと、底部１００Ｃとを備える。外蓋１００Ａの天面には、炊飯器部１００を操作するための炊飯器操作部（操作パネル）１０１が設けられている。炊飯器本体１００Ｂの前面には、米や水の重量の表示およびご飯のカロリー量の表示を行う操作表示パネル１０２が設けられている。炊飯器部１００の外観は略直方体状である。
【００２２】
なお、ユーザから操作表示パネル１０２を見え易くするため、炊飯器本体１００Ｂの前面をやや傾斜させるのが望ましい。
【００２３】
また、図示は省略するが、外蓋１００Ａの開閉を検知する開閉検知手段（開閉検知センサ）ＳＮ１０が、外蓋１００Ａの近傍に設けられている。
【００２４】
底部１００Ｃの外縁部は、ＩＨ調理器２００の天面の外縁部と嵌合する構造になっている。具体的には８．５ｍｍ程度、炊飯器部１００側の筐体とＩＨ調理器２００側の筐体とがオーバーラップするようになっている。ＩＨ調理器２００の設置面積と炊飯器部１００の設置面積がほぼ等しいため、上下の筺体がぴったり一致し、外観がスマートであるとともに、省スペース化を図ることができる。上下嵌合の工夫として、ＩＨ調理器２００の天面の外縁部と底部１００Ｃの外縁部にテーパを付けてもよいし、前後の間違いをなくすため前後でＲが異なるようにしてもよい。
【００２５】
［内蓋等の構成例］
図３を参照して、外蓋１００Ａに着脱自在に装着される二重構造蓋７００等の構成例について説明する。
【００２６】
図３は、図２に示される炊飯器要部の断面図である。
【００２７】
図３に示すように、後方側に設けた蓋ヒンジ１２９を支点として外蓋１００Ａの前方側が上下方向に回動するようになっている。
【００２８】
この前方側の外蓋１００Ａと炊飯器本体１００Ｂとの対向位置に蓋ロック機構１２４を設けている。
【００２９】
炊飯器本体１００Ｂの上部開口から内釜（炊飯釜）１２１を収容する。
【００３０】
内釜１２１の周囲に断熱材や保護枠を設け、内釜１２１の底に温度を計測する温度センサとしてのサーミスタ（図示省略）を設けている。
【００３１】
内釜１２１内で発生した蒸気は、二重構造蓋７００に設けた蒸気筒１２８を介して外部に排出される。
【００３２】
炊飯器本体１００Ｂの側壁部には、炊飯器部１００を持ち運ぶためのハンドル（図示せず）が回動自在に設けられている。
【００３３】
炊飯器操作部（操作パネル）１０１の近傍には、炊飯器操作部１０１を制御する炊飯器操作基板１２６が配置されている。
【００３４】
二重構造蓋７００は、高熱伝導性の内蓋７１０と、内蓋７１０と外蓋１００Ａとの間に設けられ、内蓋７１０との間に空間Ａ１を形成する断熱蓋７２０とから構成されている。
【００３５】
高熱伝導性の内蓋７１０は、例えばアルミニウム製の板材で構成されている。
【００３６】
内蓋７１０は、周縁に曲げ部７１５を有し、この曲げ部７１５を介して内釜（炊飯釜）１２１の開口上端面１２１ａと当接するようになっている。
【００３７】
このような構成により、ＩＨ炊飯器１の保温モードにおいて、内釜（炊飯釜）１２１の熱は、周縁の曲げ部７１５と開口上端面１２１ａとの当接箇所Ｐ１から内蓋７１０に伝熱される。これにより、内蓋７１０の温度は、内釜（炊飯釜）１２１と略同じ温度（例えば、６９℃程度）となる。
【００３８】
これにより、内蓋７１０に結露を生じ難く、露が内釜１２１の中に落下して、ご飯の食味を損なう事態を抑制することができる。
【００３９】
また、内蓋７１０には、多数のディンプル７１０ａが形成されている。したがって、内蓋７１０の表面に結露した場合であっても、露はディンプル７１０ａの作用により表面に拡散し易くなり、露が内釜１２１の中に落下する事態をより抑制できる。
【００４０】
また、内蓋７１０は、周縁に曲げ部７１５が形成されているので、内蓋７１０自体の強度を上げることができる。
【００４１】
また、外蓋１００Ａを閉めた状態で、周縁の曲げ部７１５と内釜（炊飯釜）１２１の開口上端面１２１ａとが当接するので、内蓋７１０と内釜１２１との接触面積を比較的少なくすることができ、内蓋７１０との接触により内釜表面のコーティングに傷が付くことを抑制することができる。
【００４２】
また、高熱伝導性の内蓋７１０と樹脂で成形される断熱蓋７２０との間に空間Ａ１が形成されているので、空間Ａ１内の空気による断熱効果により、内釜１２１内のご飯の保温性をより向上することができる。
【００４３】
また、内蓋７１０の略中央には、ゴム製のツマミ７１１が設けられており、断熱蓋７２０との脱着の利便性が高められている。
【００４４】
また、内蓋７１０には、断熱蓋７２０側に設けられる圧力調整部７２１を露出させる開口部が形成され、環状のパッキンが係合されている。
【００４５】
樹脂製の断熱蓋７２０には、圧力調整用のボール等を収容した凸部状の圧力調整部７２１が形成されている。
【００４６】
また、断熱蓋７２０の周縁には、環状のパッキン部材７５０が嵌合されている。
【００４７】
パッキン部材７５０は、外蓋１００Ａを閉めた状態で、内釜１２１の開口上端面１２１ａと当接する第１のシール部材７５２と、内蓋７１０と断熱蓋７２０との間に形成される空間Ａ１を塞ぐ第２のシール部材７５１とが、シリコンゴム等により一体的に成形されている。
【００４８】
また、断熱蓋７２０の表面には、外蓋１００Ａに対向する所定高さの環状のリブ７２５が同心円状に２本、形成されている。
【００４９】
そして、図３に示すように、このリブ７２５により、断熱蓋７２０の上面と外蓋１００Ａの底面との間に隙間Ａ２が形成される。この隙間Ａ２の空気層により、内釜１２１内のご飯の保温性をより向上することができる。
【００５０】
［ＩＨ調理器の構成例］
以下、ＩＨ調理器２００の構成を詳細に説明する。
【００５１】
図４は、図１に示されるＩＨ炊飯器１が備えるＩＨ調理器２００の斜視図である。  図４に示すように、ＩＨ調理器２００は、食卓などの上に置いて使用する卓上型の電磁調理器であり、外観は薄型の略直方体状である。ＩＨ調理器本体２００Ａの上部開口を塞ぐように、結晶化ガラス等で構成されたトッププレート２００Ｂが配置されている。ＩＨ調理器２００の天面の前方側には、電源ボタンや温度調整ボタンなどを有するＩＨ操作部２０１が設けられている。トッププレート２００ＢとＩＨ操作部２０１とは平面視で互いに重ならないように配置される。ＩＨ調理器２００の後方側には、マグネットで着脱自在に電源コードのプラグを装着する差し込み口が設けられている。
【００５２】
図５は、図４に示されるＩＨ調理器２００のトッププレート２００Ｂを取り外した状態の斜視図である。図５に示すように、ＩＨ調理器本体２００Ａ上のトッププレート２００Ｂを取り外すと、加熱手段としてのＩＨコイル２１１と、電力供給コイル２１２と、通信端子２１３と、リードスイッチ２１４が現れる。ＩＨコイル２１１は、被加熱物を電磁誘導加熱する加熱コイルである。電力供給コイル２１２は、炊飯器部１００側の電力受給コイルに電磁誘導により電力を供給するためのコイルである。通信端子２１３は、炊飯器部１００と無線通信するための端子である。リードスイッチ２１４は、磁石を近づけると作動するスイッチである。これら部材の作用については後述する。
【００５３】
図６は、図４に示されるＩＨ調理器２００の断面図である。図６に示すように、ＩＨ調理器本体２００Ａのほぼ中央の上部にＩＨコイル２１１が配置されている。ＩＨ調理器本体２００Ａの内部で発生した熱はファン２２１により外部に排気される構造になっている。ＩＨ調理器本体２００Ａの上部の前方側には、ＩＨ操作部２０１を制御するＩＨ操作基板２２４が配置されている。その近傍には、ＩＨ加熱用のメイン基板２２５が配置されている。ＩＨ調理器本体２００Ａの底部の四隅から外表面に４つの台座部２２３が突き出している。台座部２２３は、金型入れ子対応で重量センサを取り付け可能となっている。
【００５４】
［重量センサの構成例］
以下、計量手段としての重量センサの構成を詳細に説明する。
【００５５】
図７は、ＩＨ炊飯器１の底面の斜視図である。図８は、図７に示される重量センサ部分（台座部２２３）を拡大した拡大図である。
【００５６】
図７および図８に示すように、四隅の台座部２２３に歪ゲージ２２３Ｂを設け、重量測定を行う。具体的には、ベース部材２２３Ａに歪ゲージ２２３Ｂ、重量センサ台座２２３Ｃ、ゴム足２２３Ｄを取り付け、重量センサカバー２２３Ｅで固定している。  ＩＨ調理器２００に炊飯器部１００が搭載されると、ゴム足２２３Ｄが重量センサ台座２２３Ｃ全体を押し上げ、歪ゲージ２２３Ｂを変形させる。これにより、各歪ゲージ２２３Ｂの歪に基づいて重量センサ基板２２４ａ（図１０参照）が重量測定を行うようになっている。
【００５７】
そして、炊き上がったご飯を食す分だけ取った場合に、取った分のご飯の重量を差分として測定し、そのご飯の重量に所定のカロリー係数を乗じることで、カロリー量を求めることができる。
【００５８】
なお、カロリー係数とは、カロリーの大きさに比例する値であり、例えばご飯１ｇあたりのカロリー（ｋｃａｌ／ｇ）を示している。
【００５９】
カロリー量を操作表示パネル１０２に表示することにより、ユーザは、食する分のご飯のカロリー量を知得することができる。
【００６０】
［炊飯器の機能構成］
図９の機能ブロックを参照して、実施の形態に係るＩＨ炊飯器１の構成について説明する。
【００６１】
本実施の形態に係る炊飯器１は、炊飯工程を実行可能な炊飯手段５００と、炊飯手段５００を制御する制御手段５０１と、制御手段５０１への指示や設定等を行う操作パネル１０１、１００ＶのＡＣ電源６０１に接続されて各構成部材への電力供給を行う電源回路６００、上述のような構成の重量センサで構成される計量手段（歪ゲージ）２２３Ｂ、表示切替手段（スイッチ）ＳＷ１を備える表示部（表示手段）１０２等から構成されている。
【００６２】
操作パネル１０１には、「無洗米」、「白米」等の選択や、「コシヒカリ」等の銘柄を選択する炊飯メニュー選択手段１７３としての各種ボタンが設けられている。
【００６３】
また、表示手段を含む操作表示パネル１０２には、計量処理を指示する計量ボタンＢ１１およびカロリー表示を指示するカロリーボタンＢ１２が設けられている。
【００６４】
なお、炊飯メニュー選択手段１７３は、上記のような米の銘柄等の選択に加え、加熱温度、時間等の炊き上げ条件の異なる複数の炊飯メニューを選択する機能を有する。
【００６５】
また、操作表示パネル１０２上の表示切替を行う表示切替手段ＳＷ１は、例えば、算出したご飯のカロリー表示と、ご飯の重量表示を切り替えるスイッチであり、ユーザが手動で切り替えるようにしてもよいし、表示制御部１６１の制御により、所定時間で表示内容を自動的に切り替えるようにしてもよい。
【００６６】
炊飯手段５００は、米および水を含む被調理物（被炊飯物）を収容する内釜（炊飯釜）１２１と、この炊飯釜１２１を加熱する加熱手段としてのＩＨコイル２１１と、炊飯釜１２１の温度を検知する温度検出手段としての温度センサ１３１と、上述のような構成の外蓋１００Ａと、この外蓋１００Ａの開閉を検知する開閉検知手段ＳＮ１０等から構成されている。
【００６７】
なお、炊飯器１をマイコン式炊飯器として構成する場合には、加熱手段として、ＩＨコイル２１１に代えてヒータが設けられる。
【００６８】
温度センサ１３１は、上述のように、例えば炊飯釜１２１の底面側に配置されるサーミスタ等で構成される。
【００６９】
制御手段５０１は、マイクロコンピュータ等で構成され、温度センサ１３１の検知結果や、操作パネル１０１からの指示等に基づいてＣＰＵ等のハードウェアおよびソフトウェア（プログラム）の協働によって、各工程において付与する熱量（電力）を設定する熱量設定部１５０や、炊飯する米の量を判定する合数判定部１５１等を構成している。
【００７０】
なお、合数判定方法には、既存の手法を適用することができる。
【００７１】
また、制御手段５０１としてのマイクロコンピュータは、ＲＯＭやフラッシュメモリ等で構成されるデータ格納部１５２を備え、炊飯処理やカロリー算出等の実行プログラムを格納すると共に、各工程等に関するデータ等をデータテーブル１５３として予め格納している。
【００７２】
また、データテーブル１５３には、各炊飯メニューに対応させた被炊飯物の単位重量当たりのカロリー係数等のデータも格納されている。
【００７３】
これにより、炊飯メニューに対応したカロリー係数が予め決められているため、設定された炊飯メニューに応じて適正なカロリー量を算出することができ、ユーザに正しいカロリー量へ報知することができる。
【００７４】
制御手段５０１は、各工程の継続時間や切り替えタイミングを調整するタイマ１５４を備えている。
【００７５】
また、制御手段５０１は、計量手段（歪みゲージ）２２３Ｂで計量した被炊飯物の重量の変化量に、被炊飯物の単位重量当たりのカロリー係数を乗じてカロリー量を算出する算出部１６０を備えている。
【００７６】
また、加熱手段２１１への通電を所定の操作等に基いて中断するように制御する通電制御部７０１と、炊飯手段５００等との通信を行う通信部７０２を備えている。
【００７７】
ここで、制御手段５０１としてのマイクロコンピュータは、計量手段（歪みゲージ）２２３Ｂによる被炊飯物としてのご飯の計量を行う際には、加熱手段としてのＩＨヒータ２１１への通電を中断するように制御している。
【００７８】
これにより、ご飯を計量する際に、ＩＨヒータ２１１を発生源とする電磁ノイズを無くし、この電磁ノイズによる計量手段（歪みゲージ）２２３Ｂの計量誤差を解消している。
【００７９】
したがって、従来に比して、より正確なご飯の計量を行うことができ、ひいては正確なカロリー量の算出、表示を可能にしている。
【００８０】
このように正確なご飯の計量およびカロリー量の知得は、疾病等による食事制限などで摂取するカロリー量を正確に知りたいような場合に特に有用である。
【００８１】
また、制御手段５０１は、表示切替スイッチＳＷ１の動作を制御する表示制御部（表示制御手段）１６１を備えている。
【００８２】
そして、表示制御部１６１は、操作表示パネル１０２におけるカロリー量の表示に代えて、炊飯物の重量の変化量（グラム表示）を表示するように制御できる。
【００８３】
また、表示制御部１６１は、操作表示パネル１０２において、カロリー量の表示と併せて、炊飯物の重量の変化量を表示するように制御してもよい。
【００８４】
また、ユーザが表示切替スイッチＳＷ１を操作して、表示内容を切り替えるようにしてもよい。
【００８５】
また、制御手段５０１としてのマイクロコンピュータは、所定の操作（例えば、カロリーボタンＢ１２の操作）に応じて、マイクロコンピュータによる加熱手段への通電の中断と、算出部１６０によるカロリー量の算出と表示制御部１６１による操作表示パネル１０２へのカロリー量の表示とを行なうカロリー計算モードを実行させるようにできる。
【００８６】
ここで、制御手段５０１としてのマイクロコンピュータは、カロリー計算モードにおいて、計量手段２２３Ｂによる炊飯物の計量中に、操作パネル１０１から所定の操作が行なわれた場合、または計量開始から所定時間（例えば、６０秒など）を経過した場合には、加熱手段としてのＩＨヒータ２１１への通電を再開するように制御できる。これにより、釜内のご飯が冷め過ぎないようにできる。
【００８７】
また、制御手段５０１としてのマイクロコンピュータは、開閉検知手段ＳＮ１０による外蓋１００Ａの検知状態が閉の場合に、計量手段２２３Ｂによる炊飯物の計量を指示する計量ボタンＢ１１が操作された際には、カロリー計算モードを実行しないように制御できる。
【００８８】
また、制御手段５０１としてのマイクロコンピュータは、カロリーボタンＢ１２が操作された後、第１の所定時間（例えば、６０秒等）内に開閉検知手段ＳＮ１０により外蓋１００Ａの開状態が検知された場合には、カロリー計算モードを実行するように制御してもよい。
【００８９】
また、制御手段５０１としてのマイクロコンピュータは、カロリー計算モード実行中に当該カロリー計算モードが解除される操作が行なわれた場合、加熱手段２１１としてのＩＨヒータ２１１への通電を再開するように制御するようにできる。
【００９０】
また、制御手段５０１は、カロリー計算モード実行開始から所定時間（例えば、６０秒等）経過した場合には、加熱手段２１１としてのＩＨヒータ２１１への通電を再開するように制御するようにしてもよい。
【００９１】
また、制御手段５０１としてのマイクロコンピュータは、所定の操作が行なわれた際にカロリー計算モードを実行し、第２の所定時間（例えば、６０秒等）内に開閉検知手段ＳＮ１０が外蓋１００Ａの開状態を検知しなかった場合には、カロリー計算モードを終了するように制御できる。
【００９２】
また、制御手段５０１としてのマイクロコンピュータは、カロリー計算モード実行中に、開閉検知手段ＳＮ１０により外蓋１００Ａの閉状態が検知された場合には、カロリー計算モードを解除し、加熱手段２１１としてのＩＨヒータ２１１への通電を再開するように制御できる。
【００９３】
また、制御手段５０１としてのマイクロコンピュータは、所定の操作によりカロリー計算モードを実行した後、第３の所定時間（例えば、３０秒等）経過後に計量手段２２３Ｂによる炊飯物の計量を実行するように制御してもよい。
【００９４】
また、制御手段５０１としてのマイクロコンピュータは、所定の操作に応じて加熱手段２１１としてのＩＨヒータ２１１への通電を中断した後、第３の所定時間（例えば、３０秒等）内に開閉検知手段ＳＮ１０が外蓋１００Ｂの開状態を検知した場合に、計量手段２２３Ｂからの所定回数の計量値の差が所定値以内となり、計量値が安定したと判定した際に計量手段２２３Ｂによる炊飯物の計量を実行するように制御してもよい。
【００９５】
これにより、外蓋１００Ａの開閉による振動が収まって安定した状態で、正確な計量を行うことができる。
【００９６】
［炊飯器の概略回路構成例］
図１０は、実施の形態に係るＩＨ炊飯器１の概略回路構成図である。
【００９７】
図１０に示すように、ＩＨ炊飯器１の炊飯器部１００側には、インターフェース基板１２２と、このインターフェース基板１２２と接続される炊飯器操作基板１２６が配置されている。
【００９８】
炊飯器操作基板１２６には、制御手段５０１の全部または一部を構成するマイクロコンピュータ（ＭＣＵ１）が設けられている。
【００９９】
インターフェース基板１２２には、制御手段５０１の全部または一部を構成するマイクロコンピュータ（ＭＣＵ２）が設けられている。
【０１００】
インターフェース基板１２２には、操作表示パネル１０２を構成する表示基板１２３、温度検知を行うサーミスタ１３１、無線通信（赤外線通信等）を行う通信手段を構成する通信端子１１２、ＩＨ調理器２００側から電力の供給を受ける電力受給コイル１１３が接続されている。
【０１０１】
また、ＩＨ調理器２００側には、ＩＨ操作基板２２４と、このＩＨ操作基板２２４と接続されるメイン基板（ＩＨ加熱用）２２５が配置されている。
【０１０２】
ＩＨ操作基板２２４には、制御手段５０１の全部または一部を構成するマイクロコンピュータ（ＭＣＵ３）が設けられている。
【０１０３】
メイン基板２２５には、制御手段５０１の全部または一部を構成するマイクロコンピュータ（ＭＣＵ４）が設けられている。
【０１０４】
なお、炊飯器操作基板１２６およびインターフェース基板１２２が備えるＵＡＲＴ（Universal Asynchronous Receiver-Transmitter）は、シリアル転送方式のデータとパラレル転送方式のデータを相互に変換するためのデバイスである。
【０１０５】
また、ＩＨ操作基板２２４およびメイン基板２２５が備えるＳＰＩ（Serial Peripheral Interface)は、ＩＨ操作基板２２４，メイン基板２２５同士を接続するシリアルバスの一種である。
【０１０６】
また、各基板１２２、１２６、２２４、２２５には、所定のプログラムを格納したＲＯＭが搭載されている。そして、マイクロコンピュータＭＣＵ１〜ＭＣＵ４がＲＯＭに格納された所定のプログラムを実行することで各種制御が実現される。
【０１０７】
図１０に示すように、ＩＨ調理器２００のメイン基板２２５にはマグネットプラグ等を介して電源コードが接続される。ＩＨ調理器２００に炊飯器部１００が搭載されると、炊飯器部１００側の検知用磁石（図示せず）がＩＨ調理器２００側のリードスイッチ（図示せず）をオンするようになっている。
【０１０８】
この状態で、ＩＨ調理器２００のメイン基板２２５は、ＩＨ操作基板２２４を介して駆動信号を電力供給コイル２１２に印加する。これにより、電磁誘導作用で炊飯器部１００側の電力受給コイル１１３に電力信号が発生し、インターフェース基板１２２を介して表示基板１２３や炊飯器操作基板１２６等に印加される。その結果、ＩＨ調理器２００側の通信端子２１３と炊飯器部１００側の通信端子１１２を介して赤外線通信等の無線通信が可能となる。
【０１０９】
この状態で炊飯器操作部（操作パネル）１０１が操作されると、その操作信号が炊飯器操作基板１２６から通信端子１１２・２１３を介してＩＨ調理器２００側のメイン基板２２５に伝送される。メイン基板２２５は、受信した操作信号に基づいてＩＨコイル２１１への電流供給の開始や停止を制御したり、ＩＨコイル２１１に流す高周波電流の電流値を制御したりする。この制御において、重量センサ基板２２４ａから得られる被炊飯物（米や水など）の重量情報や、サーミスタ１３１から得られる内釜１２１の温度情報を利用することができる。重量情報は、炊飯器部１００側の表示基板１２３を介して操作表示パネル１０２に表示される。
【０１１０】
また、インターフェース基板１２２等で、被炊飯物の重量情報に所定のカロリー係数を乗じることにより、カロリー量が算出され、炊飯器部１００側の表示基板１２３を介して操作表示パネル１０２に表示される。
【０１１１】
なお、ＩＨ調理器２００に炊飯器部１００が搭載されていない状態では、ＩＨ調理器２００の天面が露出しているため、ＩＨ操作部２０１（図４参照）を操作することができる。ＩＨ操作部２０１が操作されると、その操作信号がＩＨ操作基板２２４からメイン基板２２５に伝送されるようになっている。すなわち、ＩＨ調理器２００から炊飯器部１００を取り外すと、ＩＨ調理器２００の操作部２０１が現れるため、ＩＨ調理器２００側は単独でＩＨ調理に使用することができる。
【０１１２】
また、カロリーボタンＢ１２が押された時のＩＨ停止信号（火力調整信号）は、インターフェース基板１２２から出力され、炊飯操作基板１２６が判断してＩＨコイル２１１への通電を中断するようにできる。
【０１１３】
また、カロリー量は、炊飯操作基板１２６からインターフェース基板１２２に送られる炊飯メニューに関する情報に基づき、炊飯メニューに対応付けされたカロリー係数をインターフェース基板１２２のＲＯＭから読み出し、インターフェース基板１２２のＭＣＵ２で演算するようにできる。
【０１１４】
また、内釜１２１から取ったご飯の変化量は、インターフェース基板１２２のＭＣＵ２で演算するようにできる。
【０１１５】
［操作パネルの構成例］
図１１は、本実施の形態に係るＩＨ炊飯器１が備える操作パネル１０１の説明図である。
【０１１６】
具体的には、図１１（ａ）は、炊飯器部１００の天面に設けられた炊飯器操作部（操作パネル）１０１の構成例を示している。
【０１１７】
操作パネル１０１は、液晶表示部Ｄ１に加え、メニューボタンＢ１、保温／取消ボタンＢ２、米銘柄ボタンＢ３、炊飯ボタンＢ４等の各種ボタンを備える。
【０１１８】
液晶表示部Ｄ１は、ＩＨ炊飯器１の設定状況等を表示する表示装置である。メニューボタンＢ１は、炊き方等を選択するためのボタンである。保温／取消ボタンＢ２は、保温とその取り消しを指示するためのボタンである。米銘柄ボタンＢ３は、お米の銘柄を選択するためのボタンである。米銘柄ボタンＢ３を押すことにより、こしひかり、あきたこまち、つや姫、ゆめぴりか、ひとめぼれ、ヒノヒカリ等の銘柄を選択することができる。炊飯ボタンＢ４は、炊飯を指示するためのボタンである。
【０１１９】
また、図１１（ｂ）は、炊飯器部１００の前面に設けられた操作表示パネル１０２を示している。操作表示パネル１０２は、液晶表示部Ｄ１１に加え、後述する計量モードの実行を行う計量ボタンＢ１１と、カロリー計算モードの実行を行うカロリーボタンＢ１２を備える。
【０１２０】
液晶表示部Ｄ１１は、計量値およびカロリー量等を表示する表示装置である。
【０１２１】
［計量操作例の概要］
以下、計量操作例の概要を説明する。
【０１２２】
まず、ユーザは、操作パネル１０１においてメニュー・かたさ・米銘柄を選択し、炊飯器部１００の外蓋１００Ａを開け、内釜１２１にお米を入れる。次いで、操作表示パネル１０２の計量ボタンＢ１１を押し（表示で米重量がナビゲートされる）、内釜１２１を取り出し洗米した後、炊飯器部１００に内釜１２１をセットし、その後、内釜１２１に水を入れていく（表示と音で水量がナビゲートされる）。ここでは、ユーザに計量モードの使用を認識させるために計量ボタンＢ１１を押すこととしているが、外蓋１００Ａを開けたら自動で計量モードに移行するようにしてもよい。最後に、炊飯器部１００の外蓋１００Ａを閉じ、炊飯器操作部１０１の炊飯ボタンＢ４を押すと、炊飯が開始される。
【０１２３】
［計量操作例の詳細］
図１２は、図１１（ｂ）に示される操作表示パネル１０２の画面遷移図である。
【０１２４】
まず、ユーザが計量モードにおいて内釜１２１にお米を入れると、米重量が測定される。
【０１２５】
ここで、米重量が規定範囲以下の場合、図１２（ａ）に示すように、液晶表示部Ｄ１１に「米を入れて計量ボタンを押す」等と表示する（計量ボタンＢ１１点滅）。なお、計量モードに入る前には内釜１２１を炊飯器本体１００Ｂに装着した状態でゼロ点調整が行われている。一方、米重量が許容重量より多い場合、図１２（ｂ）に示すように、液晶表示部Ｄ１１にエラーを表示する（計量ボタンＢ１１消灯）。
【０１２６】
次いで、ユーザが計量ボタンＢ１１を押すと、米重量が確定し、水計量モードに移行する。ただし、計測した米重量が仕様重量範囲外なら水計量モードに移行せず、米計量モードのままである。問題がなければ、図１２（ｃ）に示すように、液晶表示部Ｄ１１に「（洗米後、）水を入れる」等と表示する。このとき、液晶表示部Ｄ１１には、必要水量を表示するようになっている。
【０１２７】
次いで、洗米（無洗米ならこのステップは不要である）し、図示しないカップなどにより水を追加していくと、水重量が測定され、図１２（ｄ）に示すように、水量の追加とともに、液晶表示部Ｄ１１に表示される必要水量は減少していく。水重量が最適範囲に入ったら「ピッ」と一度音を鳴らし、最適範囲から外れたら「ピッ、ピッ」と二度音を鳴らす。最適値範囲では、図１２（ｅ）に示すように、液晶表示部Ｄ１１に「０」等と表示し、最適値範囲を過ぎたら、図１２（ｆ）に示すように、液晶表示部Ｄ１１に「水を減らす」等と表示する。
【０１２８】
最後に、外蓋１００Ａを閉じると、計量表示を消灯する。この状態で炊飯ボタンＢ４（または予約後に炊飯ボタンＢ４）を押すと、炊飯が開始される。
【０１２９】
［カロリー表示操作例］
図１３は、図１１（ｂ）に示されるカロリー表示部の画面遷移図である。
【０１３０】
カロリー表示を行う場合には、図１３（ａ）のような全点灯状態から図１３（ｂ）のような保温時表示（保温モード）となっていることを確認して、カロリーボタンＢ１２を１回押す。
【０１３１】
これにより、カロリー表示処理（カロリー計算モード）が開始される。
【０１３２】
即ち、まず、図９等に示す制御手段５０１としてのマイクロコンピュータの制御に基いて、計量手段２２３Ｂによって内釜１２１から取られたご飯の重量が計量される。
【０１３３】
次いで、データデータ格納部１５２のデータテーブル１５３に格納されているカロリー係数（例えば、炊飯メニューに対応付けされている）を読み出して、内釜１２１から取られた被調理物として炊き上がったご飯の重量に乗じる演算を行う。
【０１３４】
このようにして算出されたカロリー量は、図１３（ｃ）に示すように、液晶表示部Ｄ１１に例えば「１７０ｋｃａｌ」のように表示される。
【０１３５】
なお、炊飯メニューで白米が選択され、１００ｇが内釜１２１から取られた場合には、実際には「１６８ｋｃａｌ」であるが、図１３に示す例では、表示を５ｇ単位としているため、四捨五入して「１７０ｋｃａｌ」と表示される。
【０１３６】
より正確なカロリー量を知得したい場合には、表示を１ｇ単位等として、より詳細なカロリー量を表示するようにしてもよい。
【０１３７】
また、内釜１２１から取られたご飯の重量を表示したい場合には、所定位置に設けられる表示切替スイッチ（表示切替手段）ＳＷ１を操作する。
【０１３８】
これにより、表示制御部１６１の制御により、図１３（ｄ）に示すように、例えば「１００ｇ」と表示される。
【０１３９】
なお、制御手段５０１としてのマイクロコンピュータの制御により、所定時間（例えば、１０秒等）が経過した時点で、カロリー表示からグラム表示に自動的に切り替わるようにしてもよい。
【０１４０】
［計量炊飯動作例］
図１４Ａ〜Ｇは、ＩＨ炊飯器１の計量炊飯動作を示すフローチャートである。
【０１４１】
まず、炊飯器部１００がＩＨ調理器２００の上に載っていない場合、炊飯器操作部１０１は時刻表示のみ、操作表示パネル１０２の液晶表示部Ｄ１１は消灯のままである（Ｓ１→Ｓ２→Ｓ３→Ｓ２）。
【０１４２】
炊飯器部１００がＩＨ調理器２００の上に載ると、炊飯器操作部１０１のメニュー表示等は起動するが、操作表示パネル１０２の液晶表示部Ｄ１１は消灯のままである（Ｓ２→Ｓ４）。このとき、メニュー・銘柄・かたさについては以前の情報が維持されている（Ｓ５）。
【０１４３】
次いで、ステップＳ５０１では、現在設定されている炊飯メニューＮｏ．が設定される。
【０１４４】
次に、ユーザがメニューボタンＢ１を押すと、メニュー選択が切り替わる（Ｓ６→Ｓ７→Ｓ６）。例えば、（１）無洗米→（２）無洗米，新米→（３）無洗米，省エネ→（４）無洗米，早炊き→（５）白米→（６）白米，新米→（７）白米，省エネ→（８）白米，早炊き→（９）炊き込み→（１０）おかゆ→（１１）玄米→（１２）煮込み／蒸し→（１）無洗米→・・・の順に切り替わるようになっている。
【０１４５】
ここで、ステップＳ６において、メニューボタンＢ１を押したかの判定結果が「Ｎｏ」の場合には、現在設定されている炊飯メニューＮｏ．を代入してステップＳ８に移行する。
【０１４６】
また、ステップＳ６において、メニューボタンＢ１を押したかの判定結果が「Ｙｅｓ」の場合には、ステップＳ２０８に移行して、炊飯メニューＮｏ．は１〜１２か否かが判定される。
【０１４７】
そして、Ｍ＝１２と判定された場合には、ステップＳ２０９に移行して、Ｍを「０」にリセットしてステップＳ２１０に移行する。
【０１４８】
一方、ステップＳ２０８で「Ｎｏ」と判定された場合には、ステップＳ２１０に移行して、Ｍを「１」インクリメントしてステップＳ７に移行する。
【０１４９】
次いで、ユーザが米銘柄ボタンＢ３を押すと、選択メニューが白米または無洗米でない場合、銘柄選択は消灯のままである（Ｓ８→Ｓ９→Ｓ１０→Ｓ８）。一方、選択メニューが白米または無洗米である場合、銘柄選択が切り替わる（Ｓ８→Ｓ９→Ｓ１１→Ｓ８）。例えば、（０）その他→（１）こしひかり→（２）あきたこまち→（３）つや姫→（４）ゆめぴりか→（５）ひとめぼれ→（６）ヒノヒカリ→（０）その他→・・・の順に切り替わるようになっている。
【０１５０】
次いで、ユーザがかたさボタンを押すと、選択メニューが白米または無洗米でない場合、かたさ選択は消灯のままである（Ｓ１２→Ｓ１３→Ｓ１４→Ｓ１２）。一方、選択メニューが白米または無洗米である場合、かたさ選択が切り替わる（Ｓ１２→Ｓ１３→Ｓ１５→Ｓ１２）。例えば、（１）標準→（２）かため→（３）やわらか→（１）標準→・・・の順に切り替わるようになっている。
【０１５１】
次いで、外蓋１００Ａが開いており、重量が釜妥当重量以上になっており、保温が「切」になっている場合、計量表示をスタートする（Ｓ１６→Ｓ１８→Ｓ２０→Ｓ２４）。釜妥当重量とは、釜重量から所定値を引いた重量である。
【０１５２】
一方、外蓋１００Ａが開いていないか、重量が釜妥当重量以上になっていないか、保温が「切」になっていない場合、そのままの状態とする（Ｓ１６→Ｓ１７，Ｓ１８→Ｓ１９，Ｓ２０→Ｓ２１）。ただし、保温／取消ボタンＢ２が押された場合、計量表示をスタートする（Ｓ２１→Ｓ２２→Ｓ２４）。また、外蓋１００Ａが閉じられた場合（Ｓ２３：ＹＥＳ）、ステップＳ１６に戻る。
【０１５３】
次いで、計量表示をスタートしてから１０分以上放置されている場合、計量ボタンＢ１１が押されない限り、計量表示を消灯する（Ｓ２５→Ｓ２６→Ｓ２７→Ｓ２６）。１０分以上放置されていない場合でも、保温／取消ボタンＢ２が押されたときは、計量ボタンＢ１１が押されない限り、省エネの観点から計量表示を消灯する（Ｓ２５→Ｓ２８→Ｓ２９→Ｓ３０→Ｓ２９）。
【０１５４】
一方、１０分以上放置されることも保温／取消ボタンＢ２が押されることもなかった場合において、米重量が炊飯メニューの許容米重量・上限以下であるときは、「米を入れて計量ボタンを押す」等と表示する（Ｓ２５→Ｓ２８→Ｓ３１→Ｓ３３）。米重量が炊飯メニューの許容米重量・上限以下でないときは、エラーを表示する（Ｓ２５→Ｓ２８→Ｓ３１→Ｓ３２）。なお、本フローでは放置時間を１０分としたが、これに限定されるものではない。
【０１５５】
次いで、米重量が炊飯メニューの許容米重量内である場合、「米を入れて計量ボタンを押す」の表示を維持し、計量ボタンＢ１１を点滅させる（Ｓ３４→Ｓ３５）。これにより、使用者が計量ボタンＢ１１を押すと、米重量が許容米重量の範囲内である場合、米重量を記憶して、その米状量に最適な水量を表示させる。具体的には水計量モード「○○ｃｃ水を入れる（減らす）」等と表示する（Ｓ３６→Ｓ３７→Ｓ３８）。なお、許容米重量「○合〜○合」は、炊飯メニューごとに決められている。
【０１５６】
ここで、メニューが「無洗米」である場合、「○○ｃｃ水を入れる」等と表示する（Ｓ３９→Ｓ４０）。一方、メニューが「無洗米」以外である場合、「○○ｃｃ洗米後、水を入れる」等と表示する（Ｓ３９→Ｓ４１）。
【０１５７】
次いで、取消ボタンが押されなかった場合において、水（＋米）重量が最適水量範囲内でないときは、「ピッ、ピッ」と音を鳴らし、炊飯ボタンＢ４と予約ボタンを消灯させる（Ｓ４２→Ｓ４３→Ｓ４４→Ｓ４３）。一方、水（＋米）重量が最適水量範囲内であるときは、「ピッ」と音を鳴らし、炊飯ボタンＢ４と予約ボタンを点滅させ、外蓋１００Ａが閉じていれば、計量モードを解除して「時刻モード：００：００」等と表示する（Ｓ４２→Ｓ４３→Ｓ４５→Ｓ４６→Ｓ４７）。なお、最適水量範囲「最適水量±○％」は、炊飯メニュー・銘柄・かたさ設定の組み合わせに基づいて決められている。さらに最適水量範囲になったら、外蓋１００Ａを閉じるように表示や音声等で促すことが望ましい。
【０１５８】
次いで、ユーザが予約ボタンを押すと、予約モードに移行して「００：００」等と表示し、「予約１」を点灯させて以前の登録時間を表示する（Ｓ４８→Ｓ４９→Ｓ５０）。ここで、ユーザが取消ボタンも予約ボタンも押すことなく時・分ボタンを押すと、予約１の登録時間を更新する（Ｓ５１→Ｓ５２→Ｓ５８→Ｓ５９）。一方、ユーザが取消ボタンを押すことなく予約ボタンを押すと、「予約２」を点灯させて以前の登録時間を表示し、ユーザが予約ボタンを押すことなく時・分ボタンを押すと、予約２の登録時間を更新する（Ｓ５１→Ｓ５２→Ｓ５３→Ｓ５４→Ｓ５６→Ｓ５７）。なお、ステップＳ５４においてユーザが予約ボタンを押した場合、予約モードを解除して「時刻モード：００：００」等と表示する（Ｓ５４→Ｓ５５）。
【０１５９】
最後に、ユーザが炊飯ボタンＢ４を押すと、外蓋１００Ａが閉じている場合、選択された炊飯メニュー・銘柄コースにて炊飯を開始する（Ｓ６０→Ｓ６１→Ｓ６２）。その後、炊飯が完了したら保温を開始し（Ｓ６３）、ステップＳ１６に戻る。
【０１６０】
［重量センサゼロ点調整動作例］
図１５は、重量センサゼロ点調整動作を示すフローチャートである。
【０１６１】
まず、外蓋１００Ａが開いていない場合、そのままの状態とする（Ｓ７１→Ｓ７２）。
【０１６２】
一方、外蓋１００Ａが開いている場合において、ユーザが計量ボタンＢ１１を長押ししたときは、重量が釜重量妥当範囲に入っていれば、ゼロ点調整を開始し、米計量モードに移行する（Ｓ７１→Ｓ７３→Ｓ７４→Ｓ７５→Ｓ７６）。釜重量妥当範囲「釜重量±○％」は、釜重量に基づいて決められている。
【０１６３】
［重量センサ制御動作例］
図１６は、重量センサ制御動作を示すフローチャートである。
【０１６４】
まず、４点の重量センサ（歪ゲージ）のセンサ値を計測し、次式に基づいて一定時間の値を平均する（Ｓ８１→Ｓ８２）。
【０１６５】
センサ出力平均（電圧）＝平均（センサ出力ＡＬＬ（電圧））
次いで、次式に基づいて出力電圧を荷重（重量）に変換する（Ｓ８３）。歪ゲージ係数は、現物確認・実験により決定する。
【０１６６】
測定値［ｇ］＝（センサ出力平均（電圧））／（歪ゲージ係数［電圧／Ｎ］）／ｇ
（重力加速度［ｍ／ｓ＾２］）
次いで、次式に基づいて計測重量を算出する（Ｓ８４）。
【０１６７】
計量重量［ｇ］＝測定値［ｇ］−ゼロ点重量［ｇ］
このとき、米計量モードである場合、米重量をｇ単位で記録する（Ｓ８５→Ｓ８６）。
【０１６８】
一方、水計量モードである場合、次式に基づいて水重量をｃｃ単位で出力する（Ｓ８７→Ｓ８８）。
【０１６９】
出力値［ｃｃ］＝（記録した米重量・米の銘柄等から算出された必要水量［ｃｃ］）−（（計量重量［ｇ］）−（記録した米重量［ｇ］））
【０１７０】
［ＩＨ調理動作例］
図１７は、ＩＨ調理器２００の動作を示すフローチャートである。
【０１７１】
まず、炊飯器部１００がＩＨ調理器２００の上に載っている場合、ＩＨ操作部２０１の表示をオフにする（Ｓ９１→Ｓ９２→Ｓ９３→Ｓ９２）。また、炊飯器部１００がＩＨ調理器２００の上に載っていない場合でも、ユーザが「加熱スタート」または「揚げ物スタート」のボタン２０１ａまたは２０１ｂを押すまでは、ＩＨ操作部２０１の表示  次いで、使用者が「加熱スタート」または「揚げ物スタート」のボタン２０１ａまたは２０１ｂを押すと、最低火力で加熱をスタートする（Ｓ９４→Ｓ９６）。
【０１７２】
最低火力で加熱スタートする理由は、不用意な温度の上昇を防止して、安全性を確保するためである。また、ユーザが「強く」のボタン２０１ｃを押すと、それに応じて火力をアップさせ（Ｓ９７→Ｓ９８）、「弱く」のボタン２０１ｄを押すと、それに応じて火力をダウンさせる（Ｓ９９→Ｓ１００）。最後に、ユーザが「切」のボタン２０１ｅを押すと、電力をダウンさせる（Ｓ１０１→Ｓ１０２）。 
【０１７３】
［保温モード中のカロリーボタン検知処理］
図１８は、保温モード中のカロリーボタン検知処理の動作を示すフローチャートである。
【０１７４】
ステップＳ３０１では、何れかのキー（ボタン）が押されたかを判定し、「Ｎｏ」の場合には処理を繰り返し、「Ｙｅｓ」の場合にはステップＳ３０２に移行する。
【０１７５】
ステップＳ３０２では、押されたキー（ボタン）が、カロリーボタンＢ１２であるか否かが判定され、「Ｎｏ」の場合にはステップＳ３０１に戻る。
【０１７６】
判定結果が「Ｙｅｓ」の場合には、ステップＳ３０３に移行して、カロリー計算・表示処理のサブルーチンを実行する。
【０１７７】
［カロリー計算・表示処理］
図１９は、カロリー計算、表示処理の動作を示すフローチャート、図２０は、ＩＨ停止処理の動作を示すフローチャート、図２１は、重量変化量算出処理の動作を示すフローチャート、図２２は、炊飯メニューとカロリー係数の関係を示す図表である。
【０１７８】
まず、ステップＳ３３０でカロリー計算、表示処理が開始されると、ステップＳ３３１でＩＨ停止処理が実行される。
【０１７９】
即ち、図２０のフローチャート（ステップＳ１３３０〜Ｓ１３３２）に示すように、ＩＨ火力を０Ｗに設定してからメイン処理に戻る。
【０１８０】
なお、本実施の形態に係る分離式の炊飯器１では、炊飯器部のインターフェース基板１２２のＭＣＵ２がＩＨコイル２１１への停止信号を発行するようにできる。  
【０１８１】
このように、ご飯を計量する際に、加熱手段としてのＩＨコイル２１１への通電を中断することにより、ＩＨヒータ２１１を発生源とする電磁ノイズを無くし、この電磁ノイズによる計量手段（歪みゲージ）２２３Ｂの計量誤差を解消することができる。
【０１８２】
したがって、従来に比して、より正確なご飯の計量を行うことができ、ひいては正確なカロリー量の算出、表示を行うことができる。このように正確なカロリー量の知得は、疾病等による食事制限などで摂取するカロリー量を正確に知りたいような場合に特に有用である。
【０１８３】
次いで、ステップＳ３３２では、ゼロ点重量Ｗ０を計量（即ち、初期重量とする）してステップＳ３３３に移行する。
【０１８４】
ステップＳ３３３では、タイマ１５４（図９参照）を６０秒にセットする。なお、タイマの設定時間は６０秒に限定されないが、あまり長く設定するとご飯が冷めてしまうので、その点に留意する必要がある。
【０１８５】
次いで、ステップＳ３３４では、内釜１２１内のご飯の重量に変化があったか否かが判定される。即ち、内釜１２１内のご飯をしゃもじ等で掬って器にとった際の重量変化の有無を判定する。
【０１８６】
判定結果が「Ｎｏ」の場合にはステップＳ３３８に移行し、「Ｙｅｓ」の場合にはステップＳ３３５に移行して、重量変化量算出処理のサブルーチンを実行する。
【０１８７】
即ち、図２１のフローチャート（ステップＳ１３３５〜Ｓ１３３８）に示すように、現在の内釜１２１内のご飯重量Ｗを計量し、次いで初期重量Ｗ０からの変化量ΔＷを算出（即ち、ΔＷ＝Ｗ０−Ｗを算出）してからメイン処理に戻る。
【０１８８】
次いで、ステップＳ３３６では、Ｅ＝ｅ×ΔＷの演算を行って、カロリー量Ｅ（ｋｃａｌ）を算出する。
【０１８９】
但し、ΔＷ：釜内のご飯の重量変化量（ｇ）、ｅ：単位重量（１００ｇ）当たりのエネルギー量（カロリー係数）である。
【０１９０】
ここで、ｅ（カロリー係数）は、炊飯メニューによって異なっており、炊飯メニュー毎のｅ（カロリー係数）は、図２２の図表のように例示される。
【０１９１】
図２２に示す例では、メニューＮｏ．１に対応する「無洗米」のカロリー係数はａ１、メニューＮｏ．２に対応する「無洗米  新米」のカロリー係数はａ２・・・というようになっている。
【０１９２】
これにより、メニューＮｏ．１の場合にはＥ＝ａ１×ΔＷ、メニューＮｏ．２の場合にはＥ＝ａ２×ΔＷというように、メニューＮｏ．に応じたカロリー量Ｅ（ｋｃａｌ）を算出することができる。
【０１９３】
次いで、ステップＳ３３７では、ステップＳ３３６で算出されたカロリー量（Ｅ値）を炊飯器１の操作表示パネル１０２の液晶表示部Ｄ１１に表示する（例えば、図１３（ｃ）参照）。
【０１９４】
次に、ステップＳ３３８では、保温・取り消しボタンＢ２（図１１（ａ）参照）が押されたか否かが判定され、「Ｙｅｓ」の場合には処理を終了して、加熱手段２１１への通電を再開し、保温モードに移行する。
【０１９５】
この際に、炊飯器１の操作表示パネル１０２の液晶表示部Ｄ１１の「数字」および「ｋｃａｌ」の表示を消すように処理する。
【０１９６】
判定結果が「Ｎｏ」の場合には、ステップＳ３３９に移行して、カロリーボタンＢ１２が押されたか否かを判定し、「Ｙｅｓ」の場合にはステップＳ３３２に戻り、ゼロ点重量Ｗ０を計量する（即ち、次にご飯を食する人の摂取カロリー計算を行なうために、現重量を一旦リセットする）。
【０１９７】
また、判定結果が「Ｎｏ」の場合には、ステップＳ３４０に移行して、タイマをカウントダウン（−１ｓする）してステップＳ３４１に移行する。
【０１９８】
ステップＳ３４１では、タイマがゼロになったか否かが判定され、「Ｎｏ」の場合にはステップＳ３３４に戻り、「Ｙｅｓ」の場合には処理を終了して、加熱手段２１１への通電を再開し、保温モードに移行する。
【０１９９】
この際に、炊飯器１の操作表示パネル１０２の液晶表示部Ｄ１１の「数字」および「ｋｃａｌ」の表示を消すように処理する。
【０２００】
（重量測定構成例）
図２３は、第１の実施の形態に係るＩＨ炊飯器１の側面図である。
【０２０１】
蓋ロック機構１２４（図３参照）によるロックを解除すると、蓋ヒンジ１２９の回転軸１２９ａを支点として外蓋１００Ａの前方側が上方向に回動し、略垂直な状態で静止するようになっている。
【０２０２】
外蓋１００Ａを開けた状態のＩＨ炊飯器１の重心をＧとする。
【０２０３】
図２４は、図２３に示されるＩＨ炊飯器１の底面図である。
【０２０４】
ここでは、ＩＨ炊飯器１の底部の四隅に４つの台座部２２３を備えた場合を例示している。４つの台座部２２３の全てに重量センサが取り付けられている。以下の説明では、台座部２２３を重量検知脚２２３と呼ぶ。また、４つの重量検知脚２２３を区別する場合は、重量検知脚２２３Ａ，２２３Ｂ，２２３Ｃ，２２３Ｄと呼ぶ。
【０２０５】
図２４に示すように、２つの重量検知脚２２３Ｃ，２２３Ｄは、重心Ｇに対して蓋ヒンジ１２９側で回転軸１２９ａ方向に対して両端に位置する。一方、２つの重量検知脚２２３Ａ，２２３Ｂは、重心Ｇに対して蓋ヒンジ１２９の反対側で回転軸１２９ａ方向に対して両端に位置する。重量検知脚２２３Ａ，２２３Ｂ，２２３Ｃ，２２３Ｄで形成される四角形の２つの仮想対角線をＬ１，Ｌ２とし、２つの仮想対角線Ｌ１，Ｌ２の交点をＰとする。この場合、重心Ｇは、２つの仮想対角線Ｌ１，Ｌ２の交点Ｐより蓋ヒンジ１２９側にあるのが望ましい。
【０２０６】
具体的には、交点Ｐと重量検知脚２２３Ａ，２２３Ｂとで形成される三角形の領域を「領域Ｅ１」とする。領域Ｅ１の内側に重心Ｇがある場合は、米の偏りや水投入による振動の影響を受けやすく、前後方向にふらつきやすくなる。
【０２０７】
また、交点Ｐと重量検知脚２２３Ｂ，２２３Ｃとで形成される三角形の領域を「領域Ｅ２」とする。領域Ｅ２の内側に重心Ｇがある場合は、外蓋１００Ａを開ける際や外蓋１００Ａを開けた状態で左右方向にふらつきやすくなる。
【０２０８】
また、交点Ｐと重量検知脚２２３Ｄ，２２３Ａとで形成される三角形の領域を「領域Ｅ４」とする。領域Ｅ４の内側に重心Ｇがある場合も、外蓋１００Ａを開ける際や外蓋１００Ａを開けた状態で左右方向にふらつきやすくなる。
【０２０９】
最後に、交点Ｐと重量検知脚２２３Ｃ，２２３Ｄとで形成される三角形の領域を「領域Ｅ３」とする。領域Ｅ３の内側に重心Ｇがある場合は、重心Ｇが２つの仮想対角線Ｌ１，Ｌ２の交点Ｐより蓋ヒンジ１２９側にあるため、前後方向にも左右方向にもふらつきにくくなる。
【０２１０】
そこで、領域Ｅ３の内側に重心Ｇがくるように各構成部品を配置する。ここでは、重量物である内釜１２１やＩＨコイル２１１などをＩＨ炊飯器１の後方寄りに配置している。これにより、外蓋１００Ａを開けた状態のＩＨ炊飯器１の重心Ｇを内釜１２１の中心Ｏの直下近傍に配置することができる（図２３参照）。ここで、内釜１２１の中心Ｏとは、内釜１２１の体積中心（空間中心）を意味する。
【０２１１】
なお、ここでは４つの重量検知脚２２３を備えた場合を例示したが、５つ以上の重量検知脚２２３を備えた場合でも同様、２つのヒンジ側重量検知脚を頂点に含む三角形の領域の内側に重心Ｇがあればよい。２つのヒンジ側重量検知脚とは、重心Ｇに対して蓋ヒンジ１２９側で回転軸１２９ａ方向に対して両端に位置する重量検知脚である。この場合も、重心Ｇが仮想対角線の交点より蓋ヒンジ１２９側にある点は同様であるため、前後方向にも左右方向にもふらつきにくくなる。
【０２１２】
（重量センサ回路構成例）
次に、重量センサ回路構成例について説明する。上記の説明では、四隅の重量センサのセンサ値を平均することで被調理物の重量を算出することとしているが（図１６のＳ８１→Ｓ８２）、これに限定されるものではない。すなわち、四隅の重量センサのセンサ値の合計で被調理物の重量を算出することも可能である。
【０２１３】
図２５は、実施の形態に係るＩＨ炊飯器１が備える重量センサの回路構成図であり、図２６は、図２５に示される単一ロードセルの回路構成図である。この重量センサは、図２５に示すように、ロードセルＳＥＬ１〜ＳＥＬ４と、差動増幅回路１１と、Ａ／Ｄコンバータ（１２ｂｉｔ）１２と、ＣＰＵ１３と、ＲＣ平滑回路１４とを備える。ロードセルＳＥＬ１〜ＳＥＬ４は、図２６に示すような単一ロードセルを４個直列に繋いだものである。４個の単一ロードセルのトータルの微小電圧信号が出力されるようになっている。
【０２１４】
まず、回路基本動作について説明する。ロードセルＳＥＬ１〜ＳＥＬ４のブリッジ結線から、印加重量（歪み量）に応じた微小電圧信号（アナログ小信号）が出力される。この微小電圧信号を差動増幅回路１１で電圧増幅し、増幅させたアナログ電圧信号をＡ／Ｄコンバータ１２でデジタル信号に変換し、その重畳データをＩ２Ｃ通信によりＣＰＵ１３に伝達する。
【０２１５】
次に、ＣＰＵ１３によるオフセット調整（マイコン制御）について説明する。重量計測の必要範囲は、「空の内釜１２１を入れた状態（約５ｋｇ）」〜「内釜１２１に３合の米と水を入れた状態（約６ｋｇ）」である。そのため、歪ゲージを重量検知脚２２３に搭載する場合、ゼロｇから６ｋｇまで計測させる必要があり、５ｋｇ〜６ｋｇ範囲の計測精度が低下してしまう。また、差動増幅回路１１の出力ゼロＶ付近では、ノイズ等の影響を受け、計測精度が低下してしまう。
【０２１６】
これらの問題を改善するため、ＣＰＵ１３は、「空の内釜１２１を入れた状態（約５ｋｇ）」時に、差動増幅回路１１の出力電圧＝１Ｖ〜１．５Ｖの範囲になるよう、ＰＷＭ信号を出力する。工場検査の工程で全数個別調整するようにしている。また、ＣＰＵ１３は、「内釜１２１に３合の米と水を入れた状態（約６ｋｇ）」時に、差動増幅回路１１の出力電圧＝Ｖｃｃ−１Ｖ程度になるよう、差動増幅回路１１のゲインを調整する。これにより、必要計測範囲（５ｋｇ〜６ｋｇ）の計測精度を確保し、ノイズ等の影響も受けにくい重量センサを実現することができる。
【０２１７】
以上のように、実施の形態に係るＩＨ炊飯器１は、着脱自在に内釜１２１が収容される本体と、本体に開閉可能に設けられた外蓋１００Ａと、外蓋１００Ａを開閉させるために本体上部に設けられる回転軸１２９ａを有する蓋ヒンジ１２９と、本体の底面に設けられる４つ以上の脚とを備え、脚の少なくとも４つが重量を検知するための重量検知脚２２３であり、４つの重量検知脚２２３は、外蓋１００Ａを開けた状態のＩＨ炊飯器１の重心Ｇに対して、蓋ヒンジ１２９側で回転軸１２９ａ方向に対して両端に位置する２つのヒンジ側重量検知脚２２３Ｃ，２２３Ｄと、蓋ヒンジ１２９の反対側で回転軸１２９ａ方向に対して両端に位置する２つの逆ヒンジ側重量検知脚２２３Ａ，２２３Ｂとで構成され、外蓋１００Ａを開けた状態のＩＨ炊飯器１の重心Ｇは、２つのヒンジ側重量検知脚２２３Ｃ，２２３Ｄと２つの逆ヒンジ側重量検知脚２２３Ａ，２２３Ｂとで形成される２つの仮想対角線Ｌ１，Ｌ２の交点Ｐに対して蓋ヒンジ１２９側に位置し、外蓋１００Ａを開けた状態で４つの重量検知脚２２３を用いて重量を測定する。これにより、重量検知脚２２３が蓋ヒンジ１２９側に２つあり、重心Ｇが２つの仮想対角線Ｌ１，Ｌ２の交点Ｐより蓋ヒンジ１２９側にあるため、前後左右方向のふらつきをなくし、安定して重量を測定することができる。
【０２１８】
また、外蓋１００Ａを開けた状態のＩＨ炊飯器１の重心Ｇは、内釜１２１の中心の直下近傍に配置されてもよい。これにより、重心Ｇが内釜１２１の中心部に配置され、米の偏りや水投入による振動を殆ど受けない。
【０２１９】
また、ＩＨ炊飯器１の操作開始に際し、外蓋１００Ａが開いている状態で重量センサのゼロ点調整を行ってもよい。これにより、外蓋１００Ａが開いている状態で重量センサの経時変化を吸収し、高精度の重量測定を維持することができる。
【０２２０】
また、ゼロ点調整を行った後、外蓋１００Ａが開いている状態で内釜１２１に収容された被調理物の重量を計量してもよい。これにより、外蓋１００Ａが開いている状態で水量を精確に調整することができるため、いちいち外蓋１００Ａを閉めて重量測定する必要がなく、操作が簡単である。
【０２２１】
なお、ここでは上下分離型のＩＨ炊飯器１を例示して説明したが、上記したような炊飯器の重心位置に対する重量検知脚の配置関係は、上下に分離しない一般的な炊飯器に適用することもできるし、マイコン式の炊飯器に適用することもできる。
【０２２２】
（第２の実施の形態）
図２７〜図３５を参照して、第２の実施の形態に係るＩＨ炊飯器（電磁炊飯器）８０１について説明する。
【０２２３】
なお、第２の実施の形態に係るＩＨ炊飯器８０１の全体構成等は、第１の実施の形態に係るＩＨ炊飯器（電磁炊飯器）１と同様であるので、同様の構成には同一符号を付して重複した説明は省略する。
【０２２４】
図２７の機能ブロック図および図２９（ａ）の操作部の説明図に示すように、第２の実施の形態に係るＩＨ炊飯器８０１では、第１の実施の形態に係るＩＨ炊飯器１における炊飯メニュー選択手段１７３に代えて、小麦粉や米粉等の粉状体の被調理物を用いてパン生地の作成や発酵等を行うパンモードを含む調理メニューを選択可能な調理メニュー選択手段１７３Ａが設けられている。
【０２２５】
また、図２７の機能ブロック図および図２８の概略回路構成図に示すように、ＩＨ炊飯器８０１に対する操作者等の人間を感知する人感センサＳＮ１００を設けるようにできる。
【０２２６】
［水量表示処理（その１）］
図３０のフローチャートおよび図３１に示す計量表示部の画面遷移図を参照して、本実施の形態に係るＩＨ炊飯器８０１で実行される水量表示処理（その１）について説明する。
【０２２７】
この水量表示処理（その１）は、パンモードの選択状態において、計量手段（重量センサ）２２３Ｂによって被調理物としての粉状体（例えば、小麦粉や米粉等）を計量し、その計量結果に応じた必要水量を算出し、表示制御部（表示制御手段）１６１の制御により、液晶表示部（表示手段）Ｄ１１に必要水量を表示する処理である。
【０２２８】
この処理が開始されると、ステップＳ４０１で、ゼロ点重量Ｗ０を計量（即ち、初期重量とする）してステップＳ４０２に移行する。
【０２２９】
ステップＳ４０２では、内釜１２１に小麦粉等を投入してステップＳ４０３に移行する。
【０２３０】
この際に、図３１（ａ）に示すように、液晶表示部（表示手段）Ｄ１１に「小麦粉等を入れて計量ボタンを押してください」などと表示するようにできる。
【０２３１】
ステップＳ４０３では、計量手段（重量センサ）２２３Ｂによって小麦粉等を計量してステップＳ４０４に移行する。
【０２３２】
ステップＳ４０４では、ステップＳ４０３で計量した小麦粉等の重量に対応する必要水量を算出する。なお、小麦粉等の重量に対応する必要水量を予め算出してデータテーブルとしてデータ格納部１５２に格納し、そのテーブルから必要水量を取得するようにしてもよい。
【０２３３】
ステップＳ４０５では、液晶表示部（表示手段）Ｄ１１に必要水量を表示（例えば、図３１（ｂ）、（ｃ）に示すように、非表示状態から「１５０ｃｃ水を入れてください」などの表示状態に遷移）して処理を終了する。
【０２３４】
これにより、ユーザは、パン生地等を作る際に、小麦粉等の重量に対応する必要水量を容易に知得することができる。
【０２３５】
なお、実際にパンモードでパン生地等を作る際には、所定のタイミングでイースト菌等を粉状体に追加し、捏ね工程、発酵工程等を行うこととなる。
【０２３６】
［水量表示処理（その２）］
図３２のフローチャートおよび図３１に示す計量表示部の画面遷移図を参照して、本実施の形態に係るＩＨ炊飯器８０１で実行される水量表示処理（その２）について説明する。
【０２３７】
この水量表示処理（その２）は、パンモードの選択状態において、計量手段（重量センサ）２２３Ｂによって炊飯釜１２１へ投入された水を計量し、算出部１６０で必要水量と投入された水量との差分を算出し、表示制御部１６１（表示制御手段）の制御により、液晶表示部（表示手段）Ｄ１１に水量の差分を表示する処理である。
【０２３８】
この処理が開始されると、ステップＳ４１１で、ゼロ点重量Ｗ０を計量（即ち、初期重量とする）してステップＳ４１２に移行する。
【０２３９】
ステップＳ４１２では、内釜１２１に小麦粉等を投入してステップＳ４１３に移行する。
【０２４０】
この際に、図３１（ａ）に示すように、液晶表示部（表示手段）Ｄ１１に「小麦粉等を入れて計量ボタンを押してください」などと表示するようにできる。
【０２４１】
ステップＳ４１３では、計量手段（重量センサ）２２３Ｂによって小麦粉等を計量してステップＳ４１４に移行する。
【０２４２】
ステップＳ４１４では、ステップＳ４０３で計量した小麦粉等の重量に対応する必要水量を算出する。なお、小麦粉等の重量に対応する必要水量を予め算出してデータテーブルとしてデータ格納部１５２に格納し、そのテーブルから必要水量を取得するようにしてもよい。
【０２４３】
ステップＳ４１５では、内釜１２１に水を入れる。なお、この際に、液晶表示部（表示手段）Ｄ１１に必要水量を表示（例えば、図３１（ｂ）、（ｃ）に示すように、非表示状態から「１５０ｃｃ水を入れてください」などの表示状態に遷移）するようにしてもよい。
【０２４４】
ステップＳ４１６では、必要水量と、投入された水量との差分を算出してステップＳ４１７に移行する。
【０２４５】
ステップＳ４１７では、液晶表示部（表示手段）Ｄ１１に差分を表示（例えば、図３１（ｄ）に示すように、「１０ｃｃ水を足してください」などと表示）してステップＳ４１８に移行する。
【０２４６】
ステップＳ４１８では、必要水量と、投入された水量との差分が０になったか否かが判定され、「Ｎｏ」の場合にはステップＳ４１５に戻り、「Ｙｅｓ」の場合にはステップＳ４１９に移行する。
【０２４７】
ステップＳ４１９では、例えば図３１（ｅ）に示すように、「ＯＫ」等と表示すると共に、「ピー」等の報知音を鳴らして処理を終了する。
【０２４８】
これにより、ユーザは、小麦粉等の量に対して最適な水量を投入することができ、最適な状態でパン生地を作成することができる。
【０２４９】
なお、実際にパン生地を作成する際には、所定のタイミングでイースト菌等を粉状体に追加し、捏ね工程、発酵工程等を行うこととなる。
【０２５０】
［見込みカロリー計算・表示処理（その１）］
図３３のフローチャートおよび図３４に示す表示部の表示例を参照して、本実施の形態に係るＩＨ炊飯器８０１で実行される見込みカロリー計算・表示処理（その１）について説明する。
【０２５１】
この見込みカロリー計算・表示処理（その１）は、パンモードの選択状態において、計量手段（重量センサ）２２３Ｂによって被調理物としての小麦粉等を計量し、その重量（Ｗ１）に、小麦粉等に応じたカロリー係数（ｅ）を乗じて見込みカロリー量（Ｅ１）を算出し、表示制御部１６１（表示制御手段）の制御により、液晶表示部（表示手段）Ｄ１１に見込みカロリー量を表示する処理である。
【０２５２】
ここで、「見込みカロリー量」とは、被調理物の調理（加熱等）が完了した際のその調理物のカロリー量をいうものとする。
【０２５３】
この処理が開始されると、ステップＳ４２０で、ゼロ点重量Ｗ０を計量（即ち、初期重量とする）してステップＳ４２１に移行する。
【０２５４】
ステップＳ４２１では、内釜１２１に小麦粉等を投入してステップＳ４２２に移行する。
【０２５５】
この際に、図３１（ａ）に示すように、液晶表示部（表示手段）Ｄ１１に「小麦粉等を入れて計量ボタンを押してください」などと表示するようにできる。
【０２５６】
ステップＳ４２２では、計量手段（重量センサ）２２３Ｂによって小麦粉等を計量してステップＳ４２３に移行する。
【０２５７】
ステップＳ４２３では、小麦粉等の重量（Ｗ１）に、小麦粉等に応じたカロリー係数（ｅ）を乗じて見込みカロリー量（Ｅ１）を算出してステップＳ４２４に移行する。
【０２５８】
ステップＳ４２４では、例えば図３４に示すように、液晶表示部（表示手段）Ｄ１１に見込みカロリー量として「１７０ｋｃａｌ」等と表示して処理を終了する。
【０２５９】
これにより、ユーザは、内釜１２１に投入した量の小麦粉等によりパンを焼き上げた際に見込まれるカロリー量を容易に知得することができる。
【０２６０】
［見込みカロリー計算・表示処理（その２）］
図３５のフローチャートを参照して、本実施の形態に係るＩＨ炊飯器８０１で実行される見込みカロリー計算・表示処理（その２）について説明する。
【０２６１】
この見込みカロリー計算・表示処理（その２）は、蒸しモード、煮込みモードおよび発酵モードの少なくとも１つを有する調理モードの選択状態において、炊飯釜１２１内の被調理物の重量を計量し、算出部により計量手段（重量センサ）２２３Ｂで計量した被調理物の重量に、その被調理物に応じたカロリー係数を乗じて見込みカロリー量を算出し、表示制御部１６１（表示制御手段）の制御により、液晶表示部（表示手段）Ｄ１１に見込みカロリー量を表示する処理である。
【０２６２】
この処理が開始されると、ステップＳ４５０で、蒸しモード、煮込みモードおよび発酵モードの少なくとも１つを有する調理モードの何れかを選択してステップＳ４５１に移行する。
【０２６３】
ステップＳ４５１では、ゼロ点重量Ｗ０を計量（即ち、初期重量とする）してステップＳ４５２に移行する。
【０２６４】
ステップＳ４５２では、内釜１２１に所望の被調理物を投入する。即ち、例えば、蒸しモードを選択した場合には鶏肉等、煮込みモードを選択した場合にはカレー等、発酵モードを選択した場合にはパン生地等を被調理物として投入する。
【０２６５】
ステップＳ４５３では、計量手段（重量センサ）２２３Ｂによって被調理物を計量してステップＳ４５４に移行する。
【０２６６】
ステップＳ４５４では、被調理物の重量（Ｗ２）に、その被調理物に応じたカロリー係数（ｅ）を乗じて見込みカロリー量（Ｅ２）を算出してステップＳ４５５に移行する。
【０２６７】
ステップＳ４５５では、液晶表示部（表示手段）Ｄ１１に見込みカロリー量を表示して処理を終了する。
【０２６８】
これにより、ユーザは、内釜１２１に投入した被調理物の見込みカロリー量を容易に知得することができる。
【０２６９】
（他の実施の形態）
図３６および図３７のフローチャートを参照して、他の実施の形態に係るＩＨ炊飯器で実行される未装着品検知処理および計量モード自動開始処理の処理手順について説明する。
【０２７０】
まず、図３６のフローチャートを参照して、未装着品検知処理について説明する。
【０２７１】
この未装着品検知処理が開始されると、ステップＳ４６０でゼロ点重量Ｗ０を計量（即ち、初期重量とする）してステップＳ４６１に移行する。
【０２７２】
ステップＳ４６１では、部品（例えば、内蓋等）を完全に装着した状態の炊飯器８０１の総重量（Ｗ１０）と、現在の炊飯器８０１の重量（Ｗ２０）との差分を算出してステップＳ４６２に移行する。
【０２７３】
ステップＳ４６２では、差分重量（Ｗ３０）と同じ重量の部品は有るか否かが判定される。
【０２７４】
なお、内蓋等の各部品の重量データをデータテーブル１５３に格納することにより、上記判定を容易に行うことができる。
【０２７５】
そして、ステップＳ４６２の判定が「Ｎｏ」の場合には処理を終了し、「Ｙｅｓ」の場合には、ステップＳ４６３に移行して、該当する部品名を液晶表示部（表示手段）Ｄ１１に表示して処理を終了する。
【０２７６】
これにより、ユーザの部品の装着忘れを抑制することができる。
【０２７７】
次に、図３７のフローチャートを参照して、計量モード自動開始処理について説明する。
【０２７８】
この計量モード自動開始処理が開始されると、ステップＳ４７０で内釜１２１が装着されているか否かが判定される。なお、内釜１２１の装着の有無は、内釜検知用のリミットスイッチ等により検知してもよいし、或いは前述の未装着品検知処理によって検知してもよい。
【０２７９】
そして、ステップＳ４７０の判定が「Ｎｏ」の場合には待機し、「Ｙｅｓ」の場合にはステップＳ４７１に移行する。
【０２８０】
ステップＳ４７１では、人感センサＳＮ１００がオンになったか否かが判定され、「Ｎｏ」の場合には待機し、「Ｙｅｓ」の場合にはステップＳ４７２に移行する。
【０２８１】
ステップＳ４７２では、炊飯器８０１を計量モードに移行させて、ステップＳ４７３に移行する。
【０２８２】
ステップＳ４７３では、所定時間内に重量増加（例えば、米や水等の投入による重量増加）を検知したか否かが判定され、「Ｙｅｓ」の場合には待機し、「Ｎｏ」の場合にはステップＳ４７４で計量モードを終了して、処理を終了する。
【０２８３】
これにより、ユーザが炊飯器８０１に近づくだけで、自動的に計量モードに移行するので、利便性を向上することができる。
【０２８４】
[その他の実施の形態]
上記のように、実施の形態によって記載したが、この開示の一部をなす論述および図面は例示的なものであり、これに限定するものであると理解すべきではない。この開示から当業者には様々な代替実施の形態、実施例および運用技術が明らかとなろう。
【０２８５】
このように、本実施の形態はここでは記載していない様々な実施の形態などを含む。
【０２８６】
例えば、重量センサをＩＨ調理器２００側に設けた場合を例示したが、重量センサは炊飯器部１００側に設けることも可能である。
【０２８７】
また、重量センサとして歪ゲージ以外に、圧力センサや他タイプのロードセルなどを用いることもできる。
【産業上の利用可能性】
【０２８８】
本実施の形態の炊飯器は、上下分離型のＩＨ炊飯器や一体型のマイコン式炊飯器などに適用することができる。
【符号の説明】
【０２８９】
１…ＩＨ炊飯器（炊飯器）
１００…炊飯器部
１００Ａ…外蓋（蓋部）
１０１、１０１Ａ…炊飯器操作部（操作パネル）
１０２…操作表示パネル
１１２…通信端子
１１３…電力受給コイル
１２１…内釜（炊飯釜）
１２２…インターフェース基板
１２３…表示基板
１２４…蓋ロック機構
１２６…炊飯器操作基板
１２８…蒸気筒
１２９…蓋ヒンジ
１３１…サーミスタ（温度センサ）
２００…ＩＨ調理器（電磁調理器）
２０１…ＩＨ操作部（電磁調理器操作部）
２１１…ＩＨコイル（加熱手段）
２１２…電力供給コイル
２１３…通信端子
２２１…ファン
２２３…台座部（重量検知脚）
２２４…ＩＨ操作基板
２２４ａ…重量センサ基板
２２３Ａ…ベース部材
２２３Ｂ…歪ゲージ
２２３Ｃ…重量センサ台座
２２３Ｄ…ゴム足
２２３Ｅ…重量センサカバー
２２５…メイン基板
２２６…マグネットプラグ
５００…炊飯手段
５０１、ＭＣＵ１〜ＭＣＵ４…マイクロコンピュータ（制御手段）
７００…二重構造蓋
７１０…内蓋
７１０ａ…ディンプル
７１１…ツマミ
７１５…曲げ部
７２０…断熱蓋
７２５…リブ
７５０…パッキン部材
７５１…第１のシール部材
７５２…第２のシール部材
Ａ１…空間
Ａ２…隙間
Ｂ１…メニューボタン
Ｂ２…保温／取消ボタン
Ｂ３…米銘柄ボタン
Ｂ４…炊飯ボタン
Ｂ１１…計量ボタン
Ｂ１２…カロリーボタン
Ｄ１，Ｄ１１…液晶表示部
ＳＮ１０…開閉検知手段
ＳＮ１００…人感センサ
【図１】
2019034109.tif 000003
【図２】
2019034109.tif 000004
【図３】
2019034109.tif 000005
【図４】
2019034109.tif 000006
【図５】
2019034109.tif 000007
【図６】
2019034109.tif 000008
【図７】
2019034109.tif 000009
【図８】
2019034109.tif 000010
【図９】
2019034109.tif 000011
【図１０】
2019034109.tif 000012
【図１１】
2019034109.tif 000013
【図１２】
2019034109.tif 000014
【図１３】
2019034109.tif 000015
【図１４Ａ】
2019034109.tif 000016
【図１４Ｂ】
2019034109.tif 000017
【図１４Ｃ】
2019034109.tif 000018
【図１４Ｄ】
2019034109.tif 000019
【図１４Ｅ】
2019034109.tif 000020
【図１４Ｆ】
2019034109.tif 000021
【図１４Ｇ】
2019034109.tif 000022
【図１５】
2019034109.tif 000023
【図１６】
2019034109.tif 000024
【図１７】
2019034109.tif 000025
【図１８】
2019034109.tif 000026
【図１９】
2019034109.tif 000027
【図２０】
2019034109.tif 000028
【図２１】
2019034109.tif 000029
【図２２】
2019034109.tif 000030
【図２３】
2019034109.tif 000031
【図２４】
2019034109.tif 000032
【図２５】
2019034109.tif 000033
【図２６】
2019034109.tif 000034
【図２７】
2019034109.tif 000035
【図２８】
2019034109.tif 000036
【図２９】
2019034109.tif 000037
【図３０】
2019034109.tif 000038
【図３１】
2019034109.tif 000039
【図３２】
2019034109.tif 000040
【図３３】
2019034109.tif 000041
【図３４】
2019034109.tif 000042
【図３５】
2019034109.tif 000043
【図３６】
2019034109.tif 000044
【図３７】
2019034109.tif 000045